(57)【要約】【課題】遊技球の振分け時における継続的な期待感や緊張感を増大し、以て興趣性を向上し得る回転振分け装置を備えた遊技機を提供する。【解決手段】受入位置で球受け溝４７に受け入れた遊技球を、該受入位置から回転体３６が所定角度回転した分岐位置で、転動誘発手段を介して球受け溝４７の転動面（湾曲凹面４８）上で転動させて、その転動中に球受け溝４７に進入する区画部材４６によって、該球受け溝４７を、特定領域２８へ遊技球を搬送可能な特定領域用搬送溝部５０ａと、一般領域２９へ遊技球を搬送可能な一般領域用搬送溝部５０ｂとに区画することにより、転動中の遊技球を前記特定領域用搬送溝部５０ａと一般領域用搬送溝部５０ｂの何れかに振分けるようにした。【選択図】図１２
2008073431.tif 000002
【特許請求の範囲】
【請求項１】
遊技球を回転体の回転により搬送して特定領域または一般領域に振分ける回転振分け装置を備えた遊技機において、
前記回転振分け装置が、
回転駆動軸が後方から挿通される挿通孔を備え、該挿通孔を中心とする前壁面に半径方向に沿って離間する特定領域と一般領域とが開口された基板部材と、
該基板部材の前面側で前記回転駆動軸に軸支されて、一方向に回転駆動される略円盤状の回転体と、
上部に入球口を備え、前記基板部材に固定されて前記回転体の側周面を覆うカバー部材と、
前記回転体の側周面に開口されて、回転方向に対応する溝壁面に遊技球が転動可能な転動面を備えた球受け溝と、
該球受け溝が上方に向く受入位置から前記回転体が所定角度回転した位置を分岐位置とし、該分岐位置から少なくとも前記特定領域と前記一般領域とを半径方向に離隔する位置まで周方向に沿って配設され、前記回転体の回転に伴って前記球受け溝に周方向から進入して、前記球受け溝を、前記特定領域へ遊技球を搬送可能な特定領域用搬送溝部と、前記一般領域へ遊技球を搬送可能な一般領域用搬送溝部とに区画する区画部材と
を備えてなり、
前記回転体の前記受入位置で前記カバー部材の前記入球口から前記球受け溝に受け入れた遊技球を、前記回転体の前記分岐位置で、転動誘発手段を介して前記転動面上で転動させて、その転動中に前記球受け溝に進入する前記区画部材によって前記特定領域用搬送溝部または前記一般領域用搬送溝部に遊技球を振分けるようにしたことを特徴とする遊技機。
【発明の詳細な説明】
【技術分野】
【０００１】
本発明は、遊技球を回転体の回転により搬送して特定領域または一般領域に振分ける回転振分け装置を備えた遊技機に関する。
【背景技術】
【０００２】
遊技球を回転体の回転により搬送して特定領域または一般領域に振分ける回転振分け装置が知られている（例えば、特許文献１参照）。
【０００３】
かかる回転振分け装置は、一方向に回転駆動される略円盤状の回転体の側周面に、深さ及び形状が相互に異なる複数の球受け溝が形成される一方、各球受け溝の深さ及び形状に夫々対応させて遊技球が流入可能な当たり入賞口としての特定領域及び外れ入賞口としての一般領域が設けられており、各球受け溝に受け入れた遊技球を、回転体の回転により搬送して、対応する特定領域または一般領域に流入させることにより、当該遊技球を特定領域または一般領域に振分け得るようになっている。
【特許文献１】特公平７−１０８３３８号公報（第１４欄上段，第１３図）
【発明の開示】
【発明が解決しようとする課題】
【０００４】
ところで、従来の回転振分け装置にあっては、複数の球受け溝の何れかに遊技球が受け入れられた時点で、当該球受け溝の深さ及び形状によって搬送後に特定領域または一般領域の何れに流入するのかが即座に判明するため、その受入後から流入までは、単に遊技球を回転体の回転により搬送するものに過ぎなかった。即ち、受入位置に到達した遊技球は、受入位置に最初に回動してくる球受け溝に受け入れられるため、受入位置に遊技球が到達したタイミングで何れの球受け溝に受け入れられるのかが瞬間的に分かってしまい、遊技球が球受け溝に受け入れられた後の搬送過程において、特定領域へ流入するか否かが分からない場合の継続的な期待感や緊張感を得ることができず、興趣性に乏しいものであった。
【０００５】
本発明は、かかる問題点を解消するためになされたものであって、遊技球の振分け時における継続的な期待感や緊張感を増大し、以て興趣性を向上し得る回転振分け装置を備えた遊技機を提供することを目的とするものである。
【課題を解決するための手段】
【０００６】
本発明は、遊技球を回転体の回転により搬送して特定領域または一般領域に振分ける回転振分け装置を備えた遊技機において、前記回転振分け装置が、回転駆動軸が後方から挿通される挿通孔を備え、該挿通孔を中心とする前壁面に半径方向に沿って離間する特定領域と一般領域とが開口された基板部材と、該基板部材の前面側で前記回転駆動軸に軸支されて、一方向に回転駆動される略円盤状の回転体と、上部に入球口を備え、前記基板部材に固定されて前記回転体の側周面を覆うカバー部材と、前記回転体の側周面に開口されて、回転方向に対応する溝壁面に遊技球が転動可能な転動面を備えた球受け溝と、該球受け溝が上方に向く受入位置から前記回転体が所定角度回転した位置を分岐位置とし、該分岐位置から少なくとも前記特定領域と前記一般領域とを半径方向に離隔する位置まで周方向に沿って配設され、前記回転体の回転に伴って前記球受け溝に周方向から進入して、前記球受け溝を、前記特定領域へ遊技球を搬送可能な特定領域用搬送溝部と、前記一般領域へ遊技球を搬送可能な一般領域用搬送溝部とに区画する区画部材とを備えてなり、前記回転体の前記受入位置で前記カバー部材の前記入球口から前記球受け溝に受け入れた遊技球を、前記回転体の前記分岐位置で、転動誘発手段を介して前記転動面上で転動させて、その転動中に前記球受け溝に進入する前記区画部材によって前記特定領域用搬送溝部または前記一般領域用搬送溝部に遊技球を振分けるようにしたことを特徴とする遊技機である。
【０００７】
前記球受け溝の転動面は、直線的な平滑面を溝壁面に固定的に形成して構成するもの以外に、遊技球を往復転動可能に乗載する湾曲凹面を溝壁面に固定的に形成することにより構成したり、回転体の回転に伴う遊技球の搬送過程で溝壁面に湾曲凹面が生じるように構成され得る。
【０００８】
ここで、遊技球を往復転動可能に乗載する湾曲凹面を溝壁面に固定的に形成する場合には、
遊技球を回転体の回転により搬送して特定領域または一般領域に振分ける回転振分け装置を備えた遊技機において、
前記回転振分け装置が、
回転駆動軸が後方から挿通される挿通孔を備え、該挿通孔を中心とする前壁面に半径方向に沿って離間する特定領域と一般領域とが開口された基板部材と、
該基板部材の前面側で前記回転駆動軸に軸支されて、一方向に回転駆動される略円盤状の回転体と、
上部に入球口を備え、前記基板部材に固定されて前記回転体の側周面を覆うカバー部材と、
前記回転体の側周面に開口されて、回転方向に対応する溝壁面に遊技球を往復転動可能に乗載する湾曲凹面が形成された球受け溝と、
該球受け溝が上方に向く受入位置から前記回転体が所定角度回転した位置を分岐位置とし、該分岐位置から少なくとも前記特定領域と前記一般領域とを半径方向に離隔する位置まで周方向に沿って配設され、前記回転体の回転に伴って前記球受け溝に周方向から進入して、前記球受け溝を、前記特定領域へ遊技球を搬送可能な特定領域用搬送溝部と、前記一般領域へ遊技球を搬送可能な一般領域用搬送溝部とに区画する区画部材と
を備えてなり、
前記回転体の前記受入位置で前記カバー部材の前記入球口から前記球受け溝に受け入れた遊技球を、前記回転体の前記分岐位置で、転動誘発手段を介して前記湾曲凹面上で往復転動させて、その転動中に前記球受け溝に進入する前記区画部材によって前記特定領域用搬送溝部または前記一般領域用搬送溝部に遊技球を振分けるようにしたことを特徴とする遊技機が提案される。
【０００９】
前記遊技機にあって、球受け溝の湾曲凹面上で遊技球を往復転動させる契機となる転動誘発手段としては、前記受入位置から前記分岐位置まで前記回転体を高速回転させ、前記分岐位置で減速または一旦停止した後、低速回転させて前記湾曲凹面上で遊技球を往復転動させる回転体の回転制御によるものとする構成が提案される。
【００１０】
また、他の転動誘発手段としては、前記回転体の回転に伴って、前記球受け溝に周方向から進入し、前記球受け溝が前記受入位置を通過した直後から前記分岐位置に至る直前まで、前記球受け溝の溝底部とで遊技球を保持するとともに、前記球受け溝が前記分岐位置に至ると同時に遊技球を解放して、前記湾曲凹面上で遊技球を往復転動させる保持部材とする構成が提案される。
【００１１】
さらに、他の転動誘発手段としては、前記回転体の側周面に突成された突起と、前記回転体の回転に伴って前記突起に係合し、かつ前記分岐位置で前記突起から離脱して前記回転体に振動を生じさせることにより、前記湾曲凹面上で遊技球を往復転動させるバネとからなるものとする構成が提案される。
【００１２】
さらにまた、他の転動誘発手段としては、前記カバー部材の側周壁部に軸支されて回動可能に配設され、遊技領域を流下する遊技球の衝突により、その衝撃を前記回転体に伝達して、前記回転体に振動を付与することにより、前記湾曲凹面上で遊技球を往復転動させる槌部材とする構成が提案される。
【００１３】
また、回転体の回転に伴う遊技球の搬送過程で溝壁面に湾曲凹面が生じるようにする場合には、
遊技球を回転体の回転により搬送して特定領域または一般領域に振分ける回転振分け装置を備えた遊技機において、
前記回転振分け装置が、
回転駆動軸が後方から挿通される挿通孔を備え、該挿通孔を中心とする前壁面に半径方向に沿って離間する特定領域と一般領域とが開口された基板部材と、
該基板部材の前面側で前記回転駆動軸に軸支されて、一方向に回転駆動される略円盤状の回転体と、
上部に入球口を備え、前記基板部材に固定されて前記回転体の側周面を覆うカバー部材と、
前記回転体の側周面に開口され、回転方向に対応する溝壁先端を拡開して支持壁面が形成された球受け溝と、
該球受け溝の、回転方向に対応する溝壁面に一端が固定された板バネと、
前記支持壁面に基部が回動可能に軸支され、その先端部に前記板バネの他端が固定されたバネ受け片と、
前記回転体の側周面に対向させて周方向に沿って配設され、前記回転体の回転に伴って前記カバー部材内を周方向に回動する前記バネ受け片に当接して、前記板バネを回転方向に対応する側に湾曲させて遊技球を転動可能に乗載する湾曲凹面を生じさせる加圧周壁と、
前記球受け溝が上方を向く受入位置から前記回転体が所定角度回転した位置を分岐位置とし、該分岐位置から少なくとも前記特定領域と前記一般領域とを半径方向に離隔する位置まで周方向に沿って配設され、前記回転体の回転に伴って前記球受け溝に周方向から進入して、前記球受け溝を、前記特定領域へ遊技球を搬送可能な特定領域用搬送溝部と、前記一般領域へ遊技球を搬送可能な一般領域用搬送溝部とに区画する区画部材と
を備えてなり、
前記回転体の前記受入位置で前記カバー部材の前記入球口から前記球受け溝に受け入れた遊技球を、前記回転体の前記分岐位置で、前記板バネの湾曲により生じる前記湾曲凹面上で往復転動させて、その転動中に前記球受け溝に進入する前記区画部材によって前記特定領域用搬送溝部または前記一般領域用搬送溝部に遊技球を振分けるようにしたことを特徴とする遊技機が提案される。
【００１４】
かかる遊技機にあって、前記加圧周壁の、前記バネ受け片との当接面に、前記板バネの曲率を変化させる凹部及び／又は凸部が周方向に沿って形成されている構成が提案される。
【００１５】
尚、前記各遊技機が備える回転振分け装置の構成にあって、受入位置から回転体が所定角度回転した分岐位置としては、球受け溝が略横向きとなり、湾曲凹面上で遊技球を円滑に転動させ得る位置とすることが好ましい。また、基板部材の挿通孔を中心とする前壁面に開口された特定領域と一般領域とが半径方向に沿って離間するとは、挿通孔の中心からの、特定領域までの距離と一般領域までの距離とが相違することを意味するものであって、該特定領域と一般領域とが半径方向に沿う同一直線状に位置する場合は勿論のこと、特定領域と一般領域とが、挿通孔の中心からの距離が相違する状態で周方向にずれている場合も含むものである。
【発明の効果】
【００１６】
本発明は、上述したように、受入位置で球受け溝に受け入れた遊技球を、該受入位置から回転体が所定角度回転した分岐位置で、転動誘発手段を介して球受け溝の転動面上で転動させて、その転動中に球受け溝に進入する区画部材によって、該球受け溝を、特定領域へ遊技球を搬送可能な特定領域用搬送溝部と、一般領域へ遊技球を搬送可能な一般領域用搬送溝部とに区画することにより、転動中の遊技球を前記特定領域用搬送溝部と一般領域用搬送溝部の何れかに振分けるようにしたから、受入位置で球受け溝に遊技球を受け入れた時点では、該遊技球の振分け先が全く未定であり、その後の回転体の回転による搬送過程において、球受け溝の転動面上で転動する遊技球の位置によって振分け先が決定されるので、振分け先に対する遊技者の継続的な期待感や緊張感を増大させることができる。
【００１７】
ここで、球受け溝の転動面を、遊技球を揺動可能に乗載する固定的な湾曲凹面によって構成すれば、受入位置で球受け溝に受け入れた遊技球を、該受入位置から回転体が所定角度回転した分岐位置で、転動誘発手段を介して球受け溝の湾曲凹面上で往復転動させて、その転動中に球受け溝に進入する区画部材によって、該球受け溝を、特定領域へ遊技球を搬送可能な特定領域用搬送溝部と、一般領域へ遊技球を搬送可能な一般領域用搬送溝部とに区画することにより、転動中の遊技球を前記特定領域用搬送溝部と一般領域用搬送溝部の何れかに振分ける得るから、受入位置で球受け溝に遊技球を受け入れた時点では、該遊技球の振分け先が全く未定であり、その後の回転体の回転による搬送過程において、球受け溝の湾曲凹面上で往復転動する遊技球の位置によって振分け先が決定されるので、振分け先に対する遊技者の継続的な期待感や緊張感を増大させることができる。
【００１８】
また、遊技者は、球受け溝の湾曲凹面上で往復転動する遊技球が、特定領域用搬送溝部と一般領域用搬送溝部の何れの搬送溝部に振分けられるのかを注視することとなるため、その興趣性を向上させることができる。
【００１９】
更に、回転体の回転に伴って湾曲凹面も回転変位するため、湾曲凹面は刻々と姿勢を変化させる。これにより湾曲凹面上の遊技球の往復転動運動に変化を与え、振分け状態が多彩となるため一層の興趣性の向上が実現できる。
【００２０】
そして、前記転動誘発手段を、受入位置から分岐位置まで回転体を高速回転させ、かつ、分岐位置で減速または一旦停止した後、低速回転させて湾曲凹面上で遊技球を転動させる回転体の回転制御によるものとする構成にあっては、遊技球の転動を回転体の回転速度の変化によって生じる遊技球の慣性により誘発させることができ、回転体の簡単な回転制御によって遊技球の転動誘発を容易に実現することができる。
【００２１】
また、前記転動誘発手段を、回転体の回転に伴って、球受け溝に周方向から進入し、球受け溝が受入位置を通過した直後から分岐位置に至る直前まで、球受け溝の溝底部とで遊技球を保持するとともに、球受け溝が分岐位置に至ると同時に遊技球を解放して、湾曲凹面上で遊技球を転動させる保持部材とする構成にあっては、上記のような回転体の回転速度を変化させる回転制御を必要とせず、転動誘発時期及び転動状態にバラ付きが生じることがない比較的安定した遊技球の転動誘発を行うことができる。
【００２２】
また、前記転動誘発手段を、回転体の側周面に突成された突起と、該回転体の回転に伴って前記突起に係合し、かつ分岐位置で前記突起から離脱して回転体に振動を生じさせることにより、湾曲凹面上で遊技球を転動させるバネとからなるものとする構成にあっては、上記のような回転体の回転速度を変化させる回転制御を必要とせず、比較的簡単な構成で遊技球の転動を誘発させることができる。また、前記バネの形状，材質，大きさ等によって、転動を誘発する振動の強弱を容易かつ任意に設定することができる。
【００２３】
また、前記転動誘発手段を、カバー部材の側周壁部に軸支されて回動可能に配設され、遊技領域を流下する遊技球の衝突により、その衝撃を回転体に伝達して、該回転体に振動を付与することにより、湾曲凹面上で遊技球を転動させる槌部材とする構成にあっては、上記のような回転体の回転速度を変化させる回転制御を必要とせず、遊技球が衝突する比較的簡単な構成の槌部材によって回転体に生じる振動により遊技球の転動を誘発させることができる。また、単なる運任せではなく、遊技者は何とか遊技球を槌部材に衝突させようと技能を駆使して遊技球を打ち続けたり、或いは既に遊技球が槌部材に衝突して、それ以上の衝突が不要な場合には遊技球の発射を止めたり、遊技球が槌部材に衝突しないような発射操作を行うこととなるため、遊技の興趣が著しく向上する。
【００２４】
また、回転体の回転に伴う遊技球の搬送過程で溝壁面に湾曲凹面を生じさせる構成として、球受け溝の、回転方向に対応する溝壁面に一端が固定された板バネと、球受け溝の回転方向に対応する溝壁先端を拡開して形成した支持壁面に基部が回動可能に軸支され、その先端部に前記板バネの他端が固定されたバネ受け片と、回転体の側周面に対向させて周方向に沿って配設され、該回転体の回転に伴ってカバー部材内を周方向に回動する前記バネ受け片に当接して、前記板バネを回転方向に対応する側に湾曲させて遊技球を転動可能に乗載する湾曲凹面を生じさせる加圧周壁とを備え、受入位置で球受け溝に受け入れた遊技球を、該受入位置から回転体が所定角度回転した分岐位置で、板バネの湾曲により生じる湾曲凹面上で転動させて、その転動中に球受け溝に進入する区画部材によって、該球受け溝を、特定領域へ遊技球を搬送可能な特定領域用搬送溝部と、一般領域へ遊技球を搬送可能な一般領域用搬送溝部とに区画することにより、転動中の遊技球を前記特定領域用搬送溝部と一般領域用搬送溝部の何れかに振分けるようにした場合には、受入位置で球受け溝に遊技球を受け入れた時点では、該遊技球の振分け先が全く未定であり、その後の回転体の回転による搬送過程において、板バネの湾曲凹面上で転動する遊技球の位置によって振分け先が決定されるので、振分け先に対する遊技者の継続的な期待感や緊張感を増大させることができる。
【００２５】
また、遊技者は、板バネの湾曲凹面上で往復転動する遊技球が、特定領域用搬送溝部と一般領域用搬送溝部の何れの搬送溝部に振分けられるのかを注視することとなるため、その興趣性を向上させることができる。
【００２６】
また、板バネが、回転体の回転に伴って伸長状態から湾曲状態に変化して遊技球の転動を誘発するので、視覚的な面白さも得られる。
【００２７】
さらに、板バネの長さによってその曲率を変えることができるので、遊技球の往復転動幅を比較的容易かつ任意に設定することが可能である。
【００２８】
かかる遊技機にあって、前記加圧周壁の、前記バネ受け片との当接面に、前記板バネの曲率を変化させる凹部及び／又は凸部が周方向に沿って形成されている構成にあっては、回転体の回転に伴って回動するバネ受け片が、加圧周壁の凹部及び／又は凸部に当接すると、板バネの曲率が変化することにより、遊技球の転動状態に変化を与えることができる。
【発明を実施するための最良の形態】
【００２９】
図１は、本発明を適用した遊技機の遊技盤１を示す。該遊技盤１には、その遊技盤面２上に略円形の誘導レール３で囲繞された遊技領域４が設けられており、該遊技領域４の略中央に変動入賞装置５が配設されている。また、該変動入賞装置５の下方には、中央に位置させた始動領域６ａと、該始動領域６ａの左右両側に位置させた始動領域６ｂ，６ｂとが略横一列状に配設されている。
【００３０】
前記始動領域６ａは、遊技球の通過により球検知信号を送出する始動スイッチＳ1（図８参照）を備えており、該始動スイッチＳ1から球検知信号が送出されると、所定個数（例えば５個）の賞球が払い出されるとともに、前記変動入賞装置５が具備する後述する開閉部材７，７が開閉駆動されて、変動入賞口８，８の所定時間（例えば0.8秒間）の開放が２回行われる。また、始動領域６ｂ，６ｂは、遊技球の通過により球検知信号を送出する始動スイッチＳ2（図８参照）を夫々備えており、該始動スイッチＳ2から球検知信号が送出されると、所定個数（例えば５個）の賞球が払い出されるとともに、後述する開閉部材７，７が開閉駆動されて、変動入賞口８，８の所定時間（例えば0.5秒間）の開放が１回行われる。
【００３１】
その他、遊技盤面２には、一般入賞口９，９、風車１０ａ，１０ｂ等の遊技装置や、コーナーランプ１１ａ，サイドランプ１１ｂ，ケースランプ１１ｃ等の電飾装置が所定位置に所定数配設されている。
【００３２】
前記変動入賞装置５には、図２，図３に示すように、外郭を構成するケース部材１２の略中央位置に、矩形状に開口された奥に深い閉鎖作動領域１３が形成されている。該閉鎖作動領域１３は、左右両側にケースランプ１１ｃを兼ねた側壁部１４，１４を備え、かつ上部及び下部に天蓋部１５と底壁部１６とを備えている。また、天蓋部１５と底壁部１６間の中段位置には棚壁部１７が配設されており、該棚壁部１７と天蓋部１５間の左右両側に閉鎖作動領域１３を外部と連通させる変動入賞口８，８が設けられている。該変動入賞口８，８には、駆動軸１８，１８（図２参照）により下端部が軸支された翼片からなる開閉部材７，７が配設されており、該開閉部材７，７を駆動軸１８，１８に連繋した図示しない入賞口開閉ソレノイド２６（図８参照）等からなる駆動手段によって往復回動駆動することにより、略起立状態で変動入賞口８，８を塞ぐ閉鎖位置と、図２に示すように逆ハ字形に外側方に拡開して変動入賞口８，８を開放する開放位置とに変換し得るようになっている。
【００３３】
前記棚壁部１７の上面は、図３に示すように、半球状の複数の小突起１９を備え、かつ適宜の勾配で後方傾斜した傾斜案内面１７ａとなっており、上記のように開放される変動入賞口８，８から流入して該傾斜案内面１７ａ上に落下した遊技球を、前記小突起１９によって方向を変えて後方に流下させ得るようになっている。該棚壁部１７の後方には、遊技球が通過する三つの検知領域２０ａ，２０ｂ，２０ｃが横一列状に区画形成されており、各検知領域２０ａ，２０ｂ，２０ｃには変動入賞口８，８から流入した遊技球を検知する流入検知スイッチＳ3（図８参照）が夫々配設されている。該流入検知スイッチＳ3は、後述する大当り遊技作動時における開閉ラウンド中に、変動入賞口８，８から閉鎖作動領域１３に流入した入賞球を検知するカウントスイッチとして機能する。
【００３４】
前記検知領域２０ａ，２０ｂ，２０ｃの何れかを通過した遊技球は、その下部の球通路２１（図４参照）を流下して、閉鎖作動領域１３の後壁部２２に開口された球出口２３から閉鎖作動領域１３の底壁部１６上に放出される。該底壁部１６の上面は適宜の勾配で前方傾斜しており、前記球出口２３から放出された遊技球を前方に流下させ得るようになっている。また、該底壁部１６の前縁部には、図３に示すように、三つの球受入口２４ａ，２４ｂ，２４ｃが左右方向に区画形成されており、前記球出口２３から放出された遊技球は、この三つの球受入口２４ａ，２４ｂ，２４ｃの何れかに流入する。
【００３５】
ここで、左側の球受入口２４ａは、図５に示すように、ケース部材１２の下方内部に形成された外れ球通路２５と連通しており、前記球受入口２４ａに流入した遊技球は、該外れ球通路２５を流下して変動入賞装置５の下部から遊技盤１の裏面側に排出される。また、該外れ球通路２５は、遊技球の通過により球検知信号を送出する外れ球検知スイッチＳ4を備えており、該外れ球検知スイッチＳ4から球検知信号が送出されると、所定個数（例えば１５個）の賞球が払い出される。また、右側の球受入口２４ｃに流入した遊技球は、同様に構成された球通路（図示省略）を流下して変動入賞装置５の下部から遊技盤１の裏面側に排出される。この場合にあっても、該球通路が具備する外れ球検知スイッチ（図示省略）によって遊技球の通過が検知される毎に所定個数（例えば１５個）の賞球が払い出される。
【００３６】
一方、中央の球受入口２４ｂに流入した遊技球は、図２，図３に示すように、該球受入口２４ｂの下部に配設された回転振分け装置２７によって特定領域２８または一般領域２９の何れかに振分けられる。該回転振分け装置２７は本発明の要部にかかるものであり、詳しくは後述する。特定領域２８は、図６に示すように、ケース部材１２の下方内部に形成された特定領域通路３０と連通しており、特定領域２８に流入した遊技球は、該特定領域通路３０を流下して変動入賞装置５の下部から遊技盤１の裏面側に排出される。また、該特定領域通路３０は、遊技球の通過により球検知信号を送出する特定領域スイッチＳ5を備えており、該特定領域スイッチＳ5から球検知信号が送出されると、所定個数（例えば１５個）の賞球が払い出されるとともに、開閉部材７，７が所定開閉態様で開閉駆動される大当り遊技作動が実行されることとなる。
【００３７】
また、前記一般領域２９は、図５に示すように、ケース部材１２の下方内部に形成された一般領域通路３２と連通しており、さらに、該一般領域通路３２の終端は前記外れ球通路２５と連通している。そして、一般領域２９に流入した遊技球は、該一般領域通路３２及び外れ球通路２５を流下して変動入賞装置５の下部から遊技盤１の裏面側に排出される。また、該一般領域通路３２は、遊技球の通過により球検知信号を送出する一般領域スイッチＳ6を備えており、該一般領域スイッチＳ6から球検知信号が送出されると、所定個数（例えば１５個）の賞球が払い出される。
【００３８】
また、前記変動入賞装置５の上部には、図２に示すように、ドットマトリックス表示器や液晶表示器等の適宜の表示器で構成される判定図柄表示装置３４が配設されている。この判定図柄表示装置３４には判定図柄Ａ（図７参照）が変動表示される。該判定図柄Ａは、通常遊技時において、前記始動スイッチＳ1，Ｓ2の球検知によって開放される変動入賞口８，８から閉鎖作動領域１３に流入した遊技球が、特定領域２８に流入して特定領域スイッチＳ5から球検知信号が送出された場合に変動を開始し、所定時間経過後に停止して確定表示される。ここで、判定図柄Ａは、図７（Ａ）〜（Ｃ）に示すように、「２」，「７」，「１５」の三図柄により構成されており、これらの中から何れかが、後述する主制御用中央制御装置ＣＰＵによる抽選結果に対応して確定表示される。そして、この何れかの判定図柄Ａによって、大当り遊技作動において遊技者に付与する利益量としての継続可能ラウンド数（開閉ラウンドの継続可能回数）が報知される。即ち、「２」の判定図柄Ａが確定表示された場合には継続可能ラウンド数が２回であることを示し、「７」の場合には７回を示し、「１５」の場合には１５回を示す。
【００３９】
図８は、本発明を適用した遊技機の遊技制御手段を構成する制御回路を示す。
マイクロコンピュータにより構成される主制御基板６０には、遊技機の遊技作動等を制御するための基板回路が設けられており、この基板回路上には主制御用中央制御装置ＣＰＵが配設されている。この主制御用中央制御装置ＣＰＵは、遊技に関する統括的な制御を処理実行するものである。また、該主制御用中央制御装置ＣＰＵによって、大当り遊技作動において遊技者に付与する利益量としての継続可能ラウンド数を決定する利益量決定手段と、該利益量決定手段が決定した利益量に対応する判定図柄Ａを複数種類の図柄の中から決定する判定図柄決定手段とが構成されている。さらに、主制御用中央制御装置ＣＰＵは、前記利益量決定手段が決定した利益量を付与するように遊技機の遊技作動等を制御する制御内容を備えている。
【００４０】
前記主制御用中央制御装置ＣＰＵには、演算処理に用いる動作プログラムを格納する記憶装置ＲＯＭと、必要なデータを随時読み書き可能な記憶装置ＲＡＭとが、データを読み書きするアドレスを指定する情報を一方的に伝えるアドレスバス（図示省略）と、データのやり取りを行なうデータバス（図示省略）を介して接続され、該主制御基板６０の基板回路を構成している。前記記憶装置ＲＯＭには、制御プログラムや、利益量決定乱数テーブルｋ等の固定データが格納されている。そして、始動領域６ａ，６ｂ，６ｂの何れかの球通過を駆動契機とする開閉部材７，７の開放駆動により開放される変動入賞口８，８から閉鎖作動領域１３内に流入した遊技球が特定領域２８に流入し、特定領域通路３０の特定領域スイッチＳ5から球検知信号が送出されると、主制御用中央制御装置ＣＰＵによって前記利益量決定乱数テーブルｋから乱数値を選ぶ抽選が実行され、利益量決定乱数値が選出される。また、記憶装置ＲＡＭには、該利益量決定乱数値や、始動スイッチＳ1，Ｓ2、流入検知スイッチ（カウントスイッチ）Ｓ3、外れ球検知スイッチＳ4、特定領域スイッチＳ5及び一般領域スイッチＳ6から送出された球検知信号等の情報が一時的に記憶される記憶エリア、ソフトタイマを構成するレジスタ領域及びワークエリア等が設けられている。
【００４１】
さらに上記主制御基板６０の基板回路には、所定のクロックパルスを出力するクロック装置（図示省略）が設けられ、主制御用中央制御装置ＣＰＵに接続されている。そして主制御用中央制御装置ＣＰＵは一定間隔のクロックパルスによって、時系列的に演算処理を行い、一連の処理作動を順次実行する。また、このクロック装置により出力されたクロックパルスをカウントして、時間を計測するタイマーも接続されている。
【００４２】
また、上記主制御基板６０の基板回路には、主制御用中央制御装置ＣＰＵが周辺機器とデータ通信を行う入力ポート（図示省略）及び出力ポート（図示省略）が設けられている。該入力ポートには、盤面中継基板６１を介して上述した始動スイッチＳ1，Ｓ2、流入検知スイッチ（カウントスイッチ）Ｓ3、外れ球検知スイッチＳ4、特定領域スイッチＳ5及び一般領域スイッチＳ6が接続されている。そして、主制御基板６０は所定時間毎（例えば２ｍｓ毎）に上記各スイッチＳ1〜Ｓ6の遊技球検出状態を調べ、遊技球検出があるとその信号が波形整形回路により波形整形されて主制御用中央制御装置ＣＰＵに入力され、その情報を記憶装置ＲＡＭに記憶する。また、主制御基板６０の出力ポートには、盤面中継基板６１を介して入賞口開閉ソレノイド２６、後述する回転体３６の駆動モータ３８等が接続されており、これらが主制御用中央制御装置ＣＰＵの制御指令信号に従って作動される。また、主制御基板６０の出力ポートを介して主制御用中央制御装置ＣＰＵの制御指令信号が、図柄表示制御基板６２、音源制御基板６３、光源制御基板６４、及び払出制御基板６５の各入力ポートに向けて一方向に発信されるようになっている。
【００４３】
また、主制御用中央制御装置ＣＰＵ、及び上記各制御基板６２，６３，６４，６５に設置されている各中央制御装置ＣＰＵは、所定のデータの処理を行う演算ユニット（ＡＬＵ）を連成した演算装置と、この演算装置に入出力するデータや読み込んだ命令を保管しておくレジスタと、命令を解読するデコーダ等によって構成されている。尚、該演算ユニットの連成数によって、中央制御装置ＣＰＵの演算処理能力が決まる。そして、主制御用中央制御装置ＣＰＵは、所定の形式で生成した制御指令信号を各制御基板６２，６３，６４，６５に夫々送信し、各制御基板６２，６３，６４，６５の中央制御装置ＣＰＵがこの制御指令信号に従って所定の制御を処理実行することとなる。
【００４４】
上記図柄表示制御基板６２には、判定図柄表示装置３４に変動表示される図柄表示態様を制御するための基板回路が設けられている。この基板回路は、図柄表示態様を制御処理する図柄制御用中央制御装置ＣＰＵに、演出プログラムが格納されている記憶装置ＲＯＭと、必要なデータを読み書きできる記憶装置ＲＡＭと、入力ポート及び出力ポートとを備えてなる。前記記憶装置ＲＯＭには、上述した判定図柄Ａの図柄形態及び図柄変動パターン等の固定データやその動作プログラムが記憶されている。
【００４５】
また、図柄表示制御基板６２は、主制御基板６０からの制御指令信号を入力ポートを介して受信すると、図柄制御用中央制御装置ＣＰＵにおいて演算処理し、所定の判定図柄Ａの図柄変動を演出する変動態様データを、出力ポートを介して表示用ドライバに送信する。該表示用ドライバは前記変動態様データに従って、判定図柄表示装置３４に所定の変動態様で判定図柄Ａを変動表示させる。そして、この表示用ドライバ及び図柄表示制御基板６２と前記主制御基板６０とによって、判定図柄表示装置３４の判定図柄Ａを、変動開始させた後、所定のタイミングで確定表示するように表示制御する判定図柄表示制御手段が構成されている。
【００４６】
上記音源制御基板６３には、図示しないスピーカから発生する効果音等を制御するための基板回路が設けられている。この基板回路は、音響を制御する音源制御用中央制御装置ＣＰＵに、動作プログラムや音響発生パターン等の固定データが記憶されている記憶装置ＲＯＭと、必要なデータを読み書きする記憶装置ＲＡＭと、入力ポート及び出力ポートとを備えてなる。この音源制御基板６３は、前記主制御基板６０より入力ポートを介して受信した制御指令信号を音源制御用中央制御装置ＣＰＵで演算処理し、所定の音データを出力ポートを介してサウンドジェネレータに送信して、スピーカから所定の効果音を出力させる。
【００４７】
また、上記光源制御基板６４には、コーナーランプ１１ａ，サイドランプ１１ｂ，ケースランプ１１ｃ及び遊技機が具備するその他の発光ダイオードや装飾ランプ等の電飾装置を制御するための基板回路が設けられている。この基板回路は、電飾装置の点灯，点滅等を制御する光源制御用中央制御装置ＣＰＵに、動作プログラムや、電飾パターン等の固定データが記憶されている記憶装置ＲＯＭと、必要なデータを読み書きする記憶装置ＲＡＭと、入力ポート及び出力ポートとを備えてなる。この光源制御基板６４は、光源制御用中央制御装置ＣＰＵで、前記主制御基板６０から入力ポートを介して受信した制御指令信号を演算処理し、所定の光演出データを出力ポートを介して光源作動基板に送信し、コーナーランプ１１ａ，サイドランプ１１ｂ，ケースランプ１１ｃ及び所定の発光ダイオードや装飾ランプ等を所定の演出態様で点灯，点滅させる。
【００４８】
さらに、上記払出制御基板６５には、遊技球の貸球や賞球等を制御するための基板回路が設けられている。この基板回路は、賞球ユニットや貸球ユニット等が具備する各種ソレノイドを作動させて、所定数の賞球や貸球の供給を制御する払出制御用中央制御装置ＣＰＵに、動作プログラム、賞球や貸球の球数パターン等の固定データが記憶されている記憶装置ＲＯＭと、球数カウントデータ等の必要なデータを読み書きする記憶装置ＲＡＭと、入力ポート及び出力ポートとを備えてなる。この払出制御基板６５は、入力ポートを介して主制御基板６０から制御指令信号を受信し、該制御指令信号に従い、払出制御用中央制御装置ＣＰＵで演算処理し、所定のデータを出力ポートを介して払出中継基板に送信し、このデータにより賞球ユニットや貸球ユニットが具備する図示しない各種ソレノイドを作動させて、所定数の賞球や貸球の払い出しを実行する。また、払出制御基板６５は、プリペイド金額を記憶したプリペイドカードの読み込み・書き込みを行うプリペイドカードユニットと、プリペイドカードのデータ処理を中継するＣＲ接続基板を介して接続されており、プリペイド金額の残額データ等を送受する。
【００４９】
次に、図８に示した制御回路による大当り遊技作動の制御態様について説明する。
上述した主制御基板６０の記憶装置ＲＯＭには、複数段階の利益量として利益内容の異なる複数の利益態様、即ち２回，７回，１５回の三パターンからなる継続可能ラウンド数（開閉ラウンドの継続可能回数）が予め記憶されており、これらの中から何れかが、主制御基板６０の記憶装置ＲＯＭに格納されている利益量決定乱数テーブルｋから利益量決乱数値を抽選する利益量決定手段によって決定される。ここで、該利益量決定乱数値の抽選は、始動領域６ａ，６ｂ，６ｂの何れかの球通過を駆動契機とする開閉部材７，７の開放駆動により開放された変動入賞口８，８から閉鎖作動領域１３内に流入した遊技球が特定領域２８を通過することにより、特定領域スイッチＳ5から送出される球検知信号が、主制御基板６０の主制御用中央制御装置ＣＰＵに入力されることを契機として、該主制御用中央制御装置ＣＰＵで実行される。また、判定図柄決定手段により、前記利益量決定手段が決定した利益量に割り当てられた判定図柄Ａ、即ち、「２」，「７」，「１５」の三図柄からなる判定図柄Ａの何れかが、利益量決定乱数値の抽選結果に基づいて判定図柄表示装置３４に確定表示される。
【００５０】
そして、上記のように決定された利益量としての継続可能ラウンド数で、即座に開閉部材７，７が所定開閉態様で開閉駆動される大当り遊技作動が実行される。この大当り遊技作動により、入賞口開閉ソレノイド２６が作動して、開閉部材７，７を所定制限開閉回数（例えば１８回）開閉させ、かつ、一回の開閉毎に所定時間（例えば0.8 秒間）の開放状態を生じさせる開閉ラウンドが開始される。
【００５１】
一回毎の開閉ラウンドは、開閉部材７，７の所定制限開閉回数（例えば１８回）の開閉が満了するか、該所定制限開閉回数内でカウントスイッチを兼ねた流入検知スイッチＳ3により規定個数（例えば１０個）の遊技球の入賞検知がなされるか、またはその入賞した遊技球が特定領域２８の特定領域スイッチＳ5を通過するかの何れかによる所定終了条件の成立を契機として終了する。そして、この開閉ラウンド中または開閉ラウンド終了後の所定有効時間（例えば2.3秒間）内に、特定領域スイッチＳ5によって特定領域２８の球通過が検知されていると、次の開閉ラウンドへ進む条件が充足され、開閉ラウンドが再開される。この開閉ラウンドが、利益量決定手段で決定された利益量としての継続可能ラウンド数を上限として継続されると、大当り遊技作動が終了する。尚、この大当り遊技作動中にあって、遊技球の通過により、外れ球検知スイッチＳ4、特定領域スイッチＳ5及び一般領域スイッチＳ6から球検知信号が送出される度に所定個数（例えば１５個）の賞球が払い出される。
【００５２】
次に、本発明の要部である回転振分け装置２７の第一実施例について説明する。
回転振分け装置２７は、図２，図３に示すように、変動入賞装置５の外郭を構成するケース部材１２の下部に配設されている。該回転振分け装置２７は、図９に示すように、比較的厚みが薄い円形の基板部材３５と、該基板部材３５の前面側で駆動モータ３８の回転駆動軸３９に軸支されて一方向に回転駆動される回転体３６と、前記基板部材３５に固定されて回転体３６を覆うカバー部材３７と、回転体３６を回転駆動するための駆動モータ３８とによって構成されており、これらのうち、基板部材３５と回転体３６とカバー部材３７は、図４に示すように、ケース部材１２の下部に前方に向けて開口された円形の収納凹部４０（図９参照）内に収納されている。この収納凹部４０は、その上部中央が、上述した底壁部１６の前縁部に区画形成された中央の球受入口２４ｂと連通している。また、駆動モータ３８は、前記収納凹部４０の背面側に形成された収納部４１に収納されている。該駆動モータ３８の回転駆動軸３９は、ケース部材１２内に形成された前後方向の挿通孔４２に挿通され、その先端が収納凹部４０の奥壁面４３の中央部から前方に突出されている。
【００５３】
前記基板部材３５の中央部には、前記回転駆動軸３９が後方から挿通される挿通孔４４（図９参照）が形成されており、また、該挿通孔４４を中心とする基板部材３５の前壁面には上述した特定領域２８と一般領域２９とが、半径方向に沿って離間するようにして開口されている。該基板部材３５は、その周縁部に形成された複数の取付孔４５に挿通されるビス（図示省略）によって前記収納凹部４０の奥壁面４３に固定されており、該奥壁面４３には、基板部材３５の特定領域２８と一般領域２９とに夫々一致する位置に、上述した特定領域通路３０と一般領域通路３２の始端が開口されている。また、該基板部材３５の前壁面には、後述する回転体３６の厚み寸法より若干小さい前後幅で前方に突出する区画部材４６が、後述する回転体３６の分岐位置から少なくとも前記特定領域２８と一般領域２９とを半径方向に離隔する位置まで周方向に沿って配設されている。
【００５４】
前記回転体３６は、遊技球の直径寸法よりも若干大きい厚みで略円盤状に形成されており、該回転体３６の側周面には、略半径方向に沿う所定深さの球受け溝４７が開口されている。この球受け溝４７にあって、回転体３６の回転方向に対応する一方の溝壁面には、遊技球を転動可能に乗載する転動面としての湾曲凹面４８が形成されており、他方の溝壁面は略半径方向に沿う直線的な平滑面状に形成されている。また、回転体３６の裏面には、図１０に示すように、前記区画部材４６が裏面側から挿通可能な周方向に沿う挿通溝４９が所定深さで形成されている。ここで、前記区画部材４６は、前記湾曲凹面４８を半径方向に分断可能な位置に配設されており、回転体３６の回転に伴って区画部材４６が球受け溝４７に周方向から進入すると、該区画部材４６によって湾曲凹面４８が半径方向に分断されて、球受け溝４７が後述する特定領域用搬送溝部５０ａと一般領域用搬送溝部５０ｂ（図１２（Ｂ）参照）とに区画されるようになっている。
【００５５】
また、上記のように区画部材４６が球受け溝４７に周方向から進入すると、該区画部材４６の進入端と湾曲凹面４８に対向する他方の溝壁面との間隙が、回転体３６の回転に伴って、遊技球の直径寸法よりも大きな不完全区画状態から、遊技球の直径寸法よりも小さな完全区画状態へと徐々に変化して、前記特定領域用搬送溝部５０ａと一般領域用搬送溝部５０ｂ間の遊技球の移動が規制されるようになっている。
【００５６】
前記カバー部材３７（図９参照）は、回転体３６の直径寸法より若干大きい内径寸法に形成され、かつ回転体３６の厚み寸法より若干大きい前後幅に形成された側周壁部５１と、該側周壁部５１の前面を遮蔽する円形板部５２とを備えており、側周壁部５１の上部には入球口５３が開口されている。また、少なくとも円形板部５２は透明部材で形成されており、カバー部材３７で覆われる回転体３６を前方から視認し得るようになっている。そして、該カバー部材３７は、上部の入球口５３が前記球受入口２４ｂに上下方向で一致する状態で、適宜の取付け手段を介して基板部材３５に取付けられて、回転体３６の前面及び側周面を覆っている。尚、カバー部材３７の円形板部５２は、回転体３６の球受け溝４７に受け入れられた遊技球が、球受け溝４７の前方から脱落しないようにするために設けられているものであって、遊技盤１の前面に配設される図示しないガラス扉によって遊技球の脱落が防止可能である場合には、該円形板部５２を除去することも可能である。
【００５７】
前記回転体３６は、図１１（Ａ）に示すように、球受け溝４７が上方に向いてカバー部材３７の入球口５３に一致する位置を受入位置としており、また、該受入位置から回転体３６が時計回り方向に所定角度回転して、図１２（Ａ）に示すように、球受け溝４７が略横向きとなる位置を分岐位置としている。そして、該分岐位置で、回転体３６の回転に伴って前記区画部材４６を球受け溝４７に周方向から進入させて、該球受け溝４７を、前記特定領域２８へ遊技球を搬送可能な特定領域用搬送溝部５０ａと、前記一般領域２９へ遊技球を搬送可能な一般領域用搬送溝部５０ｂとに区画するように設けられている。
【００５８】
また、回転体３６は、受入位置から分岐位置まで高速回転され、分岐位置で一旦停止した後、球受け溝４７が再び受入位置に至るまで低速回転するように回転制御される。この回転速度の制御は、上述した主制御基板６０（図８参照）の主制御用中央制御装置ＣＰＵが出力する制御指令信号に基づく駆動モータ３８の回転制御によって行われる。ここで、高速回転の速度は、回転体３６が18秒で１回転する程度の速度となっており、また、低速回転の速度は、回転体３６が36秒で１回転する程度の速度となっている。そして、この第一実施例では、かかる回転態様での回転体３６の回転制御によって、分岐位置で湾曲凹面４８上の遊技球を転動させる転動誘発手段が構成されている。
【００５９】
次に、上述した回転振分け装置２７の作用を、図１１〜図１３に基づいて説明する。
時計回り方向に回転する回転体３６は、図１１（Ａ）に示すように、球受け溝４７が上方を向く受入位置へ回動すると、上述した中央の球受入口２４ｂ（図３参照）を経て入球口５３に流入した遊技球を該球受け溝４７内に受け入れる。ここで、球受け溝４７が受入位置へ至る前に入球口５３に流入した遊技球は、図１１（Ｃ）に鎖線で示すように、回転体３６の側周面上に保持されている。そして、受け入れた遊技球を確実に球受け溝４７の底部に安定させるために、図１１（Ｂ）に示すように、受入位置から１５°回転するまで回転体３６が低速回転される。この低速回転の終了後、図１１（Ｃ）に示すように、６０°回転するまで回転体３６が高速回転される。この時、遊技球は慣性により、球受け溝４７の底部に略近い位置に保持される。そして、回転体３６が６０°回転すると該回転体３６の回転が一旦停止された後、低速回転される。これにより、球受け溝４７の底部にあった遊技球が、図１２（Ａ）に示すように、球受け溝４７が略横向きとなる分岐位置で、湾曲凹面４８上を半径方向に往復転動することとなる。このように、遊技球が湾曲凹面４８上を往復転動している状態で、回転体３６の低速回転が続行される。そして、図１２（Ｂ）に示すように、その回転に伴って区画部材４６が球受け溝４７に周方向から進入し、該区画部材４６によって球受け溝４７が特定領域用搬送溝部５０ａと一般領域用搬送溝部５０ｂとに区画される。この時、湾曲凹面４８上を往復転動している遊技球は、該湾曲凹面４８上の位置によって特定領域用搬送溝部５０ａと一般領域用搬送溝部５０ｂの何れかに振分けられる。
【００６０】
図１２（Ｂ）は、遊技球が特定領域用搬送溝部５０ａに振分けられた状態を示し、該遊技球は、回転体３６のさらなる回転により特定領域用搬送溝部５０ａに保持されて搬送され、図１２（Ｃ）に示すように、特定領域２８に流入する。
【００６１】
一方、図１３（Ｂ）は、湾曲凹面４８上を往復転動している遊技球（図１３（Ａ）参照）が一般領域用搬送溝部５０ｂに振分けられた状態を示し、該遊技球は、回転体３６のさらなる回転により一般領域用搬送溝部５０ｂに保持されて搬送され、図１３（Ｃ）に示すように、一般領域２９に流入する。
【００６２】
尚、上記構成にあっては、受入位置から分岐位置まで回転体３６を高速回転させ、かつ、分岐位置で一旦停止した後、低速回転させているが、前記一旦停止行程を除去して、高速回転している回転体３６を分岐位置で減速させた後、低速回転させるように回転制御しても同効である。
【００６３】
このように、かかる構成によれば、受入位置で球受け溝４７に受け入れた遊技球を、該受入位置から回転体３６が所定角度回転した分岐位置で、転動誘発手段を介して球受け溝４７の湾曲凹面４８上で往復転動させて、その転動中に球受け溝４７に進入する区画部材４６によって、該球受け溝４７を、特定領域２８へ遊技球を搬送可能な特定領域用搬送溝部５０ａと、一般領域２９へ遊技球を搬送可能な一般領域用搬送溝部５０ｂとに区画することにより、転動中の遊技球を前記特定領域用搬送溝部５０ａと一般領域用搬送溝部５０ｂの何れかに振分けるようにしたから、受入位置で球受け溝４７に遊技球を受け入れた時点では、該遊技球の振分け先が全く未定であり、その後の回転体３６の回転による搬送過程において、球受け溝４７の湾曲凹面４８上で往復転動する遊技球の位置によって振分け先が決定されるので、振分け先に対する遊技者の継続的な期待感や緊張感を増大させることができる。
【００６４】
また、遊技者は、球受け溝４７の湾曲凹面４８上で往復転動する遊技球が、特定領域用搬送溝部５０ａと一般領域用搬送溝部５０ｂの何れに振分けられるのかを注視することとなるため、その興趣性を向上させることができる。
【００６５】
また、湾曲凹面４８上で遊技球を転動させる転動誘発手段を、受入位置から分岐位置まで回転体３６を高速回転させ、かつ、分岐位置で減速または一旦停止した後、低速回転させて湾曲凹面４８上で遊技球を転動させる回転体３６の回転制御によるものとしたので、遊技球の転動を回転体３６の回転速度の変化によって生じる遊技球の慣性により誘発させることができ、回転体３６の簡単な回転制御によって遊技球の転動誘発を容易に実現することができる。
【００６６】
尚、上記第一実施例及び後述する各実施例にあって、回転体３６の回転に伴って球受け溝４７内に進入する区画部材４６の、回転体３６の回転方向に対向する先端部を、分岐位置より低い位置に設定すればするほど、該区画部材４６によって区画される球受け溝４７の特定領域用搬送溝部５０ａが左上方に位置し、かつ、一般領域用搬送溝部５０ｂが右下方に位置する状態が顕著となるため、湾曲凹面４８上の遊技球が特定領域用搬送溝部５０ａに振分けられる確率を低下させることができる。
【００６７】
また、振分け装置２７を、上記第一実施例のように、変動入賞装置５のケース部材１２に配設する場合には、該振分け装置２７の基板部材３５（図９参照）を、ケース部材１２に前方に向けて開口された円形の収納凹部４０の奥壁面４３によって構成することが可能であり、さらに、カバー部材３７の側周壁部５１を、収納凹部４０の側周壁部５４（図９参照）によって構成することが可能である。
【００６８】
図１４〜図１８は、第二実施例を示し、この第二実施例は、湾曲凹面４８上で遊技球を往復転動させる転動誘発手段の構成を変更したものである。
【００６９】
この第二実施例における転動誘発手段は、図１４に示すように、基板部材３５に配設された保持部材５５によって構成されている。該保持部材５５は、回転体３６の回転に伴って、球受け溝４７に周方向から進入し、球受け溝４７が受入位置を通過した直後位置（図１６（Ｂ）参照）から分岐位置に至る直前位置（図１６（Ｃ）参照）まで周方向に沿って配設されており、その両位置範囲間に亘って球受け溝４７の溝底部とで遊技球を保持するとともに、球受け溝４７が分岐位置に至ると同時に遊技球を解放して（図１７（Ａ）参照）、湾曲凹面４８上で遊技球を往復転動させる（図１７（Ｂ）参照）ように設けられている。また、回転体３６の裏面には、図１５に示すように、前記保持部材５５が裏面側から挿通可能な周方向に沿う第二の挿通溝５６が所定深さで形成されている。また、回転体３６は、駆動モータ３８により時計回り方向に常時低速回転するように駆動される。
【００７０】
その他、第一実施例と共通する構成部分については第一実施例と同一符号を付して重複説明を省略する。
【００７１】
次に、上述した回転振分け装置２７の作用を、図１６，図１７に基づいて説明する。
時計回り方向に回転する回転体３６は、図１６（Ａ）に示すように、球受け溝４７が上方を向く受入位置へ回動すると、上述した中央の球受入口２４ｂ（図３参照）を経て入球口５３に流入した遊技球を該球受け溝４７内に受け入れる。そして、該遊技球は、回転体３６の回転に伴って、球受け溝４７が受入位置を通過した直後位置（図１６（Ｂ）参照）から分岐位置に至る直前位置（図１６（Ｃ）参照）まで周方向に沿って配設されている保持部材５５と受け溝４７の溝底部とよって位置保持され、図１７（Ａ）に示すように、球受け溝４７が分岐位置に至ると同時に解放されて、図１７（Ｂ）に示すように、湾曲凹面４８上で往復転動する。この転動後の遊技球の振分け作用は第一実施例と同じであるので重複説明を省略する。因みに、図１７（Ｃ）は遊技球が特定領域用搬送溝部５０ａに振分けられた状態を示す。
【００７２】
図１８は、保持部材５５で保持された遊技球Ｕ1の解放直前の状態を示している。ここで、鎖線で示した遊技球Ｕ2は、保持部材５５がない場合において、球受け溝４７に受け入れられた遊技球が回転体３６の低速回転に伴って湾曲凹面４８上を自由に移動した時の位置を示すものである。このように、保持部材５５で自由移動を規制された遊技球Ｕ1は、自由移動した遊技球Ｕ2に対して落差ｈだけ高い位置に保持されており、該遊技球Ｕ1が回転体３６の回転に伴って開放されると、前記落差ｈによって湾曲凹面４８上を半径方向に沿って転動することとなる。
【００７３】
このように、かかる転動誘発手段の構成によれば、上記のような回転体３６の回転速度を変化させる回転制御を必要とせず、転動誘発時期及び転動状態にバラ付きが生じることがない比較的安定した遊技球の転動誘発を行うことができる。
【００７４】
図１９〜図２１は、第三実施例を示し、この第三実施例は、湾曲凹面４８上で遊技球を往復転動させる転動誘発手段の他の構成を示すものである。
【００７５】
回転体３６の側周面の所定位置には、図１９に示すように、断面略山形状の突起５７が突成されており、カバー部材３７には、前記突起５７に係合可能なバネ５８が入球口５３から垂設されている。ここで、該バネ５８はバネ鋼からなる板バネが好適に用いられ得るが、所定のバネ作用を生じるものであれば、板バネ以外のバネや合成樹脂製のものであってもよい。また、回転体３６は、駆動モータ３８により時計回り方向に常時低速回転するように駆動される。
【００７６】
前記バネ５８は、回転体３６の回転に伴って回動する前記突起５７と係合し（図２０（Ｂ）参照）、さらなる回転体３６の回転に伴って弾性変形して回転体３６に回転抵抗を付与し（図２０（Ｃ）参照）、分岐位置で前記突起５７から離脱して回転体３６に振動を生じさせることにより（図２１（Ａ）参照）、湾曲凹面４８上で遊技球を転動させる（図２１（Ｂ）参照）ように設けられている。
【００７７】
その他、第一実施例と共通する構成部分については第一実施例と同一符号を付して重複説明を省略する。
【００７８】
かかる構成にあって、時計回り方向に低速回転する回転体３６は、図２０（Ａ）に示すように、球受け溝４７が上方を向く受入位置へ回動すると、変動入賞装置５の中央の球受入口２４ｂ（図１９参照）を経て入球口５３に流入した遊技球を該球受け溝４７内に受け入れる。回転体３６が受入位置から所定角度回転すると、図２０（Ｂ）に示すように、回転体３６の突起５７にバネ５８が係合され、さらなる回転体３６の回転に伴って、図２０（Ｃ）に示すように、バネ５８が弾性変形して回転体３６に回転抵抗を付与する。一方、球受け溝４７内に受け入れられた遊技球は、回転体３６の低速回転に伴って安定した状態で湾曲凹面４８上を回転体３６の側周面側に漸次移動する。そして、さらなる回転体３６の回転に伴って、図２１（Ａ）に示すように、バネ５８が突起５７から離脱すると、回転体３６に付与されていた回転抵抗が瞬時に消失するため、該回転抵抗によって回転量が遅れていた分だけ回転体３６が急激に回転するので該回転体３６に振動が生じる。この振動により、図２１（Ｂ）に示すように、球受け溝４７が略横向きとなる分岐位置で、遊技球が湾曲凹面４８上を半径方向に往復転動することとなる。尚、転動後の遊技球の振分け作用は第一実施例と同じであるので重複説明を省略する。因みに、図２１（Ｃ）は遊技球が特定領域用搬送溝部５０ａに振分けられた状態を示す。
【００７９】
このように、かかる転動誘発手段の構成によれば、回転体３６の回転速度を変化させる回転制御を必要とせず、比較的簡単な構成で遊技球の転動を誘発させることができる。また、前記バネ５８の形状，材質，大きさ等によって、転動を誘発する振動の強弱を容易かつ任意に設定することができる。
【００８０】
図２２〜図２４は、第四実施例を示し、この第四実施例は、湾曲凹面４８上で遊技球を往復転動させる転動誘発手段のさらに他の構成を示すものである。
【００８１】
この第四実施例にあって、回転体３６の側周面を覆うカバー部材３７の側周壁部５１は、図２２，図２３に示すように、収納凹部４０の側周壁部５４によって構成されており、また、回転体３６の前面を覆うカバー部材３７の円形板部５２は、回転体３６の外形寸法と同じ外形寸法で薄肉の円盤状に形成されて、回転体３６の前面に被着されている。尚、上述したように、該円形板部５２は、回転体３６の球受け溝４７に受け入れられた遊技球が、球受け溝４７の前方から脱落しないようにするために設けられているものであって、遊技盤１の前面に配設される図示しないガラス扉によって遊技球の脱落が防止可能である場合には、該円形板部５２を除去することも可能である。
【００８２】
収納凹部４０の側周壁部５４によって構成されるカバー部材３７の側周壁部５１には、図２３に示すように、略円弧状の切欠部５９が形成されており、該切欠部５９には該切欠部５９と略同一形状に形成されて、該切欠部５９を遮蔽する槌部材６６が配設されている。該槌部材６６は、その上部が支軸６７によって回転体３６に離近する方向に回動可能に軸支されており、該槌部材６６の下部内面には回転体３６の側周面に摺接する突部６８（図２４参照）が形成されている。
【００８３】
前記槌部材６６は、図２４（Ａ）に示すように、遊技領域４を流下する遊技球の衝突による衝撃を回転体３６に伝達して、該回転体３６に振動を生じさせることによって、図２４（Ｂ）に示すように、湾曲凹面４８上で遊技球を往復転動させるように設けられている。
【００８４】
尚、本実施例では、湾曲凹面４８上の遊技球が一般領域２９に誘導され易いように湾曲凹面４８の形状及び区画部材４６の配設位置が設定されている。これにより、遊技者は、湾曲凹面４８上の遊技球を揺動させて特定領域用搬送溝部５０ａに振分けるために、槌部材６６に遊技球を衝突させようとする。また、特定領域用搬送溝部５０ａに振分けられた遊技球が振動によって特定領域用搬送溝部５０ａから飛び出してしまうのを避けるために、槌部材６６に遊技球を衝突させないようにする。
【００８５】
その他、第一実施例と共通する構成部分については第一実施例と同一符号を付して重複説明を省略する。
【００８６】
このように、かかる転動誘発手段の構成によれば、回転体３６の回転速度を変化させる回転制御を必要とせず、遊技球が衝突する比較的簡単な構成の槌部材６６によって回転体３６に生じる振動により遊技球の転動を誘発させることができる。また、単なる運任せではなく、遊技者は何とか遊技球を槌部材に衝突させようと技能を駆使して遊技球を打ち続けたり、或いは既に遊技球が槌部材に衝突して、それ以上の衝突が不要な場合には遊技球の発射を止めたり、遊技球が槌部材に衝突しないような発射操作を行うこととなるため、遊技の興趣が著しく向上する。
【００８７】
図２５〜図３０は、第五実施例を示し、この第五実施例は、上述した各実施例のように、固定的な湾曲凹面４８を球受け溝４７に形成する構成に代えて、球受け溝４７に受け入れた遊技球を往復転動させる湾曲凹面４８が該遊技球の搬送過程で生じるように構成したものである。尚、この第五実施例にあって、第一実施例と共通する構成部分については第一実施例と同一符号を付して重複説明を省略する。また、回転体３６は、駆動モータ３８（図２５参照）により時計回り方向に常時低速回転するように駆動される。
【００８８】
図２５は、変動入賞装置５の下部に組み付けられる回転振分け装置２７の分解状態を示す斜視図である。該回転振分け装置２７を構成する回転体３６は、図２６（Ａ）に示すように、球受け溝４７の、回転方向に対応する溝壁面の溝底部寄り位置に、後述する転動面としての湾曲凹面４８を生じる板バネ６９の基端が嵌着される基端嵌着溝７０が形成されており、該基端嵌着溝７０に基端を嵌着することにより、図２６（Ｂ）に示すように、板バネ６９の一端が球受け溝４７の溝底部寄り位置に固定されている。ここで、前記基端嵌着溝７０は、回転体３６の前面側から裏面側に向けて板バネ６９の幅寸法に対応する深さで形成されており、また、板バネ６９の幅寸法は、球受け溝４７内で遊技球が最も後方に位置する場合であっても、該遊技球を乗載可能な幅寸法に設定されている。また、板バネ６９の下面に対峙する溝壁面は、板バネ６９の湾曲を阻害しないように窪ませた逃げ部７２となっている。
【００８９】
回転体３６の回転方向に対応する球受け溝４７の溝壁面の先端は、半径方向に略直交する方向に拡開されて支持壁面７１が形成されており、該支持壁面７１に軸受け部７３が設けられている。そして、該軸受け部７３に挿通される支軸７４によってバネ受け片７５の基部が軸支されている。これにより、該バネ受け片７５は、回転体３６の周方向に沿って回動可能となっている。該バネ受け片７５には、前記板バネ６９の先端が嵌着される先端嵌着溝７６が形成されており、該先端嵌着溝７６に先端を嵌着することにより、図２６（Ｂ）に示すように、板バネ６９の他端がバネ受け片７５に固定されている。また、該バネ受け片７５には、回転体３６の回転方向に対応する側壁面に、後述する加圧周壁７８と当接可能な蒲鉾状に突出する受圧部７７が設けられている。
【００９０】
また、回転体３６の裏面に形成される周方向の挿通溝４９は、図２７（Ａ）に示すように、前記基端嵌着溝７０に干渉しない程度の深さに設定されており、該挿通溝４９に挿通される区画部材４６は、図２５に示すように、第一実施例の区画部材４６（図９参照）に比してその前後幅が狭く形成されている。この区画部材４６の前後幅は、球受け溝４７内で遊技球が最も前方に位置する場合であっても、該遊技球を特定領域用搬送溝部５０ａと一般領域用搬送溝部５０ｂ（図２９（Ｃ）参照）の何れかに確実に振分け可能な幅寸法に設定されている。
【００９１】
カバー部材３７の側周壁部５１には、図２７（Ｂ）に示すように、その内周面の所定箇所に、他の部分より厚肉となる加圧周壁７８が形成されている。該加圧周壁７８は、図２８（Ａ）に示すように、回転体３６の側周面に対向させて周方向に沿って配設されており、該回転体３６の回転に伴ってカバー部材３７内を周方向に回動する前記バネ受け片７５の受圧部７７に当接して（図２８（Ｃ）参照）、前記板バネ６９を回転方向に対応する側に湾曲させて遊技球を往復転動可能に乗載する湾曲凹面４８（図２９（Ａ）参照）を生じさせるように設けられている。
【００９２】
次に、この第五実施例にかかる回転振分け装置２７の作用を、図２８〜図３０に基づいて説明する。
時計回り方向に低速回転する回転体３６は、図２８（Ａ）に示すように、球受け溝４７が上方を向く受入位置へ回動すると、中央の球受入口２４ｂ（図２５参照）を経て入球口５３に流入した遊技球を該球受け溝４７内に受け入れる。この時、バネ受け片７５の受圧部７７が、カバー部材３７の側周壁部５１の薄肉状内周面に当接していることにより、板バネ６９が回転体３６の回転方向に対応する側に僅かに湾曲する伸長状態となっている。図２８（Ｂ）は回転体３６が受入位置から４５°回転した状態を示す。遊技球は自重により回転体３６の回転に伴って溝底部から板バネ６９側に転動して、該板バネ６９と溝壁面とで形成される角部に保持されている。回転体３６が受入位置から７３°回転すると、図２８（Ｃ）に示すように、バネ受け片７５の受圧部７７が回転体３６の回転に伴って加圧周壁７８の始端まで移動し、板バネ６９の湾曲が開始される状態となる。そして、さらなる回転体３６の回転により、図２９（Ａ）に示すように、バネ受け片７５の受圧部７７が加圧周壁７８の加圧内周面７９に当接すると、バネ受け片７５が基部を支点として球受け溝４７の溝底部方向に回動され、板バネ６９が回転体３６の回転方向に対応する側に大きく湾曲してその上面に湾曲凹面４８を生じさせる。これにより、それまで板バネ６９と溝壁面とで形成される角部に保持されて移動が規制されていた遊技球が解放され、図２９（Ｂ）に示すように、球受け溝４７が略横向きとなる分岐位置で、上記のように板バネ６９の湾曲により生じた湾曲凹面４８上を遊技球が半径方向に往復転動することとなる。このように、遊技球が湾曲凹面４８上を転動している状態で、回転体３６の低速回転が続行され、図２９（Ｃ）に示すように、その回転に伴って区画部材４６が球受け溝４７に周方向から進入し、該区画部材４６によって球受け溝４７が特定領域用搬送溝部５０ａと一般領域用搬送溝部５０ｂとに区画される。この時、湾曲凹面４８上を往復転動している遊技球は、該湾曲凹面４８上の位置によって特定領域用搬送溝部５０ａと一般領域用搬送溝部５０ｂの何れかに振分けられる。因みに、図２９（Ｃ）は遊技球が特定領域用搬送溝部５０ａに振分けられた状態を示す。
【００９３】
そして、特定領域用搬送溝部５０ａに振分けられた遊技球は、回転体３６のさらなる回転により特定領域用搬送溝部５０ａに保持されて搬送され、特定領域２８に流入する。一方、一般領域用搬送溝部５０ｂに振分けられた遊技球は、回転体３６のさらなる回転により一般領域用搬送溝部５０ｂに保持されて搬送され、一般領域２９に流入する。
【００９４】
尚、図３０に示すように、回転体３６のさらなる回転に伴って受圧部７７が加圧周壁７８を通過すると、該加圧周壁７８による加圧作用がなくなるため、バネ受け片７５の受圧部７７が加圧周壁７８の加圧内周面７９に当接することにより生じていた板バネ６９の湾曲凹面４８は消失し、受圧部７７が、カバー部材３７の側周壁部５１の薄肉状内周面に当接することにより、板バネ６９は回転体３６の回転方向に対応する側に僅かに湾曲する伸長状態に復帰する。
【００９５】
このように、かかる構成によれば、受入位置で球受け溝４７に受け入れた遊技球を、該受入位置から回転体３６が所定角度回転した分岐位置で、板バネ６９の湾曲により生じる湾曲凹面４８上で往復転動させて、その転動中に球受け溝４７に進入する区画部材４６によって、該球受け溝４７を、特定領域２８へ遊技球を搬送可能な特定領域用搬送溝部５０ａと、一般領域２９へ遊技球を搬送可能な一般領域用搬送溝部５０ｂとに区画することにより、往復転動中の遊技球を前記特定領域用搬送溝部５０ａと一般領域用搬送溝部５０ｂの何れかに振分けるようにしたから、受入位置で球受け溝４７に遊技球を受け入れた時点では、該遊技球の振分け先が全く未定であり、その後の回転体３６の回転による搬送過程において、板バネ６９の湾曲凹面４８上で往復転動する遊技球の位置によって振分け先が決定されるので、振分け先に対する遊技者の継続的な期待感や緊張感を増大させることができる。
【００９６】
また、遊技者は、板バネ６９の湾曲凹面４８上で往復転動する遊技球が、特定領域用搬送溝部５０ａと一般領域用搬送溝部５０ｂの何れに振分けられるのかを注視することとなるため、その興趣性を向上させることができる。
【００９７】
また、板バネ６９が、回転体３６の回転に伴って伸長状態から湾曲凹面４８を生じる湾曲状態に変化して遊技球の転動を誘発するので、視覚的な面白さも得られる。
【００９８】
さらに、板バネ６９の長さによってその曲率を変えることができるので、遊技球の転動幅を比較的容易かつ任意に設定することが可能である。
【００９９】
図３１は、第六実施例を示し、この第六実施例は、前記バネ受け片７５の受圧部７７に当接する加圧周壁７８に、周方向に沿う凹凸部８０を形成したものである。かかる構成にあっては、回転体３６の回転に伴って回動するバネ受け片７５の受圧部７７が、加圧周壁７８の凹凸部８０に当接した状態で摺動すると、板バネ６９の曲率が変化することにより、遊技球の往復転動状態に変化を与えることができる。
【０１００】
尚、前記凹凸部８０は、凹部または凸部のみとすることも可能である。
【０１０１】
図３２〜図３５は、第七実施例を示し、この第七実施例は、上述した各実施例のように転動面としての湾曲凹面４８を球受け溝４７に固定的に形成する構成や、板バネ６９の湾曲によって転動面としての湾曲凹面４８が遊技球の搬送過程で生じるようにする構成に代えて、回転体３６の回転方向に対応する球受け溝４７の溝壁面に、遊技球が転動可能な転動面としての直線的な平滑面８１を固定的に形成したものである。
【０１０２】
ここで、回転体３６の球受け溝４７は、図３２（Ａ）に示すように、半径方向に沿う所定深さで略Ｕ字状に形成されており、この球受け溝４７にあって、回転体３６の回転方向に対応する一方の溝壁面が略半径方向に沿う直線的な平滑面８１となっている。また、他方の溝壁面は該平滑面８１と平行する直線的な平滑面状に形成されている。また、回転体３６の回転に伴って球受け溝４７に周方向から進入する区画部材４６は、図３２（Ｃ）に示すように、前記平滑面８１が横向きから若干下向きとなった状態で球受け溝４７に進入を開始するように、その進入端４６ａの位置が設定されている。
【０１０３】
前記回転体３６は、図３２（Ａ）に示すように、球受け溝４７が上方に向いてカバー部材３７の入球口５３に一致する位置を受入位置としており、また、該受入位置から回転体３６が時計回り方向に所定角度回転して、図３２（Ｃ）に示すように、球受け溝４７が横向きから若干下向きとなる位置を分岐位置としている。そして、該分岐位置で、回転体３６の回転に伴って前記区画部材４６を球受け溝４７に周方向から徐々に進入させて、該球受け溝４７を、前記特定領域２８へ遊技球を搬送可能な特定領域用搬送溝部５０ａと、前記一般領域２９へ遊技球を搬送可能な一般領域用搬送溝部５０ｂと区画するように設けられている。
【０１０４】
また、回転体３６は、受入位置から分岐位置まで高速回転され、分岐位置で一旦停止した後、球受け溝４７が再び受入位置に至るまで低速回転される回転態様と、常時低速回転する回転態様との二通りの回転態様で回転制御される。この二通りの回転態様の選択制御は、上述した主制御基板６０（図８参照）の主制御用中央制御装置ＣＰＵによって行われる。そして、この第七実施例では、かかる二通りの回転態様での回転体３６の回転制御によって、分岐位置で平滑面８１上の遊技球を転動させる転動誘発手段が構成されている。
【０１０５】
その他、第一実施例と共通する構成部分については第一実施例と同一符号を付して重複説明を省略する。
【０１０６】
次に、上述した回転振分け装置２７の作用について説明する。
（１）  回転体３６の回転態様に高速回転行程が介在する回転制御の場合
時計回り方向に回転する回転体３６は、図３２（Ａ）に示すように、球受け溝４７が上方を向く受入位置へ回動すると、上述した中央の球受入口２４ｂ（図３参照）を経て入球口５３に流入した遊技球を該球受け溝４７内に受け入れる。ここで、球受け溝４７が受入位置へ至る前に入球口５３に流入した遊技球は、図３２（Ｃ）に鎖線で示すように、回転体３６の側周面上に保持されている。そして、受け入れた遊技球を確実に球受け溝４７の底部に安定させるために、図３２（Ｂ）に示すように、受入位置から１５°回転するまで回転体３６が低速回転される。この低速回転の終了後、図３２（Ｃ）に示すように、８０°回転するまで回転体３６が高速回転される。この時、遊技球は慣性により、球受け溝４７の底部に略近い位置に保持される。そして、回転体３６が８０°回転すると該回転体３６の回転が一旦停止された後、低速回転に移行される。これにより、球受け溝４７の平滑面８１が横向きから若干下向きとなるため、球受け溝４７の底部にあった遊技球が平滑面８１上を外方向に向けて転動することとなる。ここで、区画部材４６の進入端４６ａは、平滑面８１が横向きから若干下向きとなった状態で球受け溝４７に進入を開始するように位置設定されていることにより、回転体３６の低速回転が続行されると、その回転に伴って球受け溝４７に周方向から進入する。
【０１０７】
そして、図３３（Ａ）に示すように、球受け溝４７に進入している区画部材４６の進入端４６ａによって、平滑面８１上を外方向に向けて転動する遊技球が堰き止められて、該遊技球が区画部材４６によって区画される特定領域用搬送溝部５０ａに振分けられることとなる。尚、平滑面８１上を外方向に向けて転動する遊技球が区画部材４６の進入端４６ａを乗り越えた場合には、該遊技球は一般領域用搬送溝部５０ｂに振分けられることとなる（図３５（Ａ）参照）。
【０１０８】
そして、上記のように、特定領域用搬送溝部５０ａに振分けられた遊技球は、回転体３６のさらなる回転により特定領域用搬送溝部５０ａに保持されて搬送され、図３３（Ｂ）に示すように、特定領域２８に流入する。
【０１０９】
尚、上記構成にあっては、受入位置から分岐位置まで回転体３６を高速回転させ、かつ、分岐位置で一旦停止した後、低速回転させているが、前記一旦停止行程を除去して、高速回転している回転体３６を分岐位置で減速させた後、低速回転させるように回転制御しても同効である。
【０１１０】
（２）  回転体３６の回転態様を常時低速回転とする回転制御の場合
時計回り方向に回転する回転体３６は、図３４（Ａ）に示すように、球受け溝４７が上方を向く受入位置へ回動すると、上述した中央の球受入口２４ｂ（図３参照）を経て入球口５３に流入した遊技球を該球受け溝４７内に受け入れる。そして、受け入れた遊技球を確実に球受け溝４７の底部に安定させるために、図３４（Ｂ）に示すように、受入位置から１５°回転するまで回転体３６が低速回転される。この低速回転の終了後、図３４（Ｃ）に示すように、８０°回転するまで回転体３６が引き続き低速回転される。このように、回転体３６が受入位置から合計９５°回転する位置まで低速回転されると、球受け溝４７の平滑面８１が横向きから若干下向きとなることにより、球受け溝４７の底部にあった遊技球は平滑面８１が下向きに変化するのに伴って、自重により平滑面８１上を外方向に向けて転動し、球受け溝４７の外端まで移動することとなる。
【０１１１】
そして、さらに回転体３６の低速回転が続行されると、その回転に伴って区画部材４６が球受け溝４７に周方向から進入し、図３５（Ａ）に示すように、遊技球が区画部材４６によって区画される一般領域用搬送溝部５０ｂに振分けられることとなる。そして、上記のように、一般領域用搬送溝部５０ｂに振分けられた遊技球は、回転体３６のさらなる回転により一般領域用搬送溝部５０ｂに保持されて搬送され、図３５（Ｂ）に示すように、一般領域２９に流入する。
【０１１２】
このように、第七実施例の構成にあっては、回転体３６の二通りの回転態様によって、球受け溝４７に受け入れた遊技球を特定領域２８と一般領域２９とに選択的に流入させることができる。そして、受入位置で球受け溝４７に遊技球を受け入れた時点では、該遊技球の振分け先が全く未定であり、その後の回転体３６の回転による搬送過程において、振分け先が決定されるので、振分け先に対する遊技者の継続的な期待感や緊張感を増大させることができる。
【０１１３】
また、遊技者は、平滑面８１上で転動する遊技球が、特定領域用搬送溝部５０ａと一般領域用搬送溝部５０ｂの何れに振分けられるのかを注視することとなるため、その興趣性を向上させることができる。
【０１１４】
尚、上述した各実施例では、回転振分け装置２７を変動入賞装置５と組み合わせて用いる構成について説明したが、該回転振分け装置２７は、遊技盤面２に単独で配設して用いることも可能である。
【図面の簡単な説明】
【０１１５】
【図１】本発明を適用した遊技機の遊技盤１を示す正面図である。
【図２】第一実施例にかかる回転振分け装置２７を備えた変動入賞装置５の拡大正面図である。
【図３】同上の変動入賞装置５の外観斜視図である。
【図４】同上の変動入賞装置５の内部構造を示す縦断側面図である。
【図５】同上の変動入賞装置５の球受入口２４ａに連通する外れ球通路２５の構成を示す縦断側面図である。
【図６】同上の回転振分け装置２７の特定領域２８に連通する特定領域通路３０の構成を示す変動入賞装置５の縦断側面図である。
【図７】判定図柄表示装置３４に変動表示される判定図柄Ａの種類を示す説明図である。
【図８】遊技制御手段を構成する制御回路を示すブロック回路図である。
【図９】変動入賞装置５と回転振分け装置２７の分解斜視図である。
【図１０】回転体３６の裏面を示す外観斜視図である。
【図１１】第一実施例にかかる回転振分け装置２７の作用説明図である。
【図１２】遊技球が特定領域用搬送溝部５０ａに振分けられた状態を示す、図１１に続く回転振分け装置２７の作用説明図である。
【図１３】遊技球が一般領域用搬送溝部５０ｂに振分けられた状態を示す、図１１に続く回転振分け装置２７の作用説明図である。
【図１４】変動入賞装置５と第二実施例にかかる回転振分け装置２７の分解斜視図である。
【図１５】同上の回転振分け装置２７を構成する回転体３６の裏面を示す外観斜視図である。
【図１６】第二実施例にかかる回転振分け装置２７の作用説明図である。
【図１７】図１６に続く回転振分け装置２７の作用説明図である。
【図１８】保持部材５５で保持された遊技球Ｕ1の開放直前の状態を示す拡大図である。
【図１９】変動入賞装置５と第三実施例にかかる回転振分け装置２７の分解斜視図である。
【図２０】第三実施例にかかる回転振分け装置２７の作用説明図である。
【図２１】図２０に続く回転振分け装置２７の作用説明図である。
【図２２】第四実施例にかかる回転振分け装置２７を備えた変動入賞装置５の外観斜視図である。
【図２３】変動入賞装置５と第四実施例にかかる回転振分け装置２７の分解斜視図である。
【図２４】第四実施例にかかる回転振分け装置２７の作用説明図である。
【図２５】変動入賞装置５と第五実施例にかかる回転振分け装置２７の分解斜視図である。
【図２６】（Ａ）は同上の回転振分け装置２７を構成する回転体３６に組み付けられる板バネ６９及びバネ受け片７５の分解状態を、（Ｂ）はその組み付け状態を夫々示す外観斜視図である。
【図２７】（Ａ）は同上の回転体３６の裏面を示す外観斜視図、（Ｂ）はカバー部材３７の裏面を示す外観斜視図である。
【図２８】第五実施例にかかる回転振分け装置２７の作用説明図である。
【図２９】図２８に続く回転振分け装置２７の作用説明図である。
【図３０】板バネ６９が伸長状態に復帰した状態を示す作用説明図である。
【図３１】凹凸部８０を備えた第六実施例にかかる回転振分け装置２７の正面図である。
【図３２】第七実施例にかかる回転振分け装置２７の作用説明図である。
【図３３】図３２に続く回転振分け装置２７の作用説明図である。
【図３４】第七実施例にかかる回転振分け装置２７の他の作用説明図である。
【図３５】図３４に続く回転振分け装置２７の作用説明図である。
【符号の説明】
【０１１６】
４  遊技領域
２７  回転振分け装置
２８  特定領域
２９  一般領域
３５  基板部材
３６  回転体
３７  カバー部材
３９  回転駆動軸
４４  挿通孔
４６  区画部材
４７  球受け溝
４８  湾曲凹面（転動面）
５０ａ  特定領域用搬送溝部
５０ｂ  一般領域用搬送溝部
５１  側周壁部
５３  入球口
５５  保持部材（転動誘発手段）
５７  突起（転動誘発手段）
５８  バネ（転動誘発手段）
６６  槌部材（転動誘発手段）
６９  板バネ
７１  支持壁面
７５  バネ受け片
７８  加圧周壁
８０  凹凸部（凹部及び／又は凸部）
８１  平滑面（転動面）
【図１】
2008073431.tif 000003
【図２】
2008073431.tif 000004
【図３】
2008073431.tif 000005
【図４】
2008073431.tif 000006
【図５】
2008073431.tif 000007
【図６】
2008073431.tif 000008
【図７】
2008073431.tif 000009
【図８】
2008073431.tif 000010
【図９】
2008073431.tif 000011
【図１０】
2008073431.tif 000012
【図１１】
2008073431.tif 000013
【図１２】
2008073431.tif 000014
【図１３】
2008073431.tif 000015
【図１４】
2008073431.tif 000016
【図１５】
2008073431.tif 000017
【図１６】
2008073431.tif 000018
【図１７】
2008073431.tif 000019
【図１８】
2008073431.tif 000020
【図１９】
2008073431.tif 000021
【図２０】
2008073431.tif 000022
【図２１】
2008073431.tif 000023
【図２２】
2008073431.tif 000024
【図２３】
2008073431.tif 000025
【図２４】
2008073431.tif 000026
【図２５】
2008073431.tif 000027
【図２６】
2008073431.tif 000028
【図２７】
2008073431.tif 000029
【図２８】
2008073431.tif 000030
【図２９】
2008073431.tif 000031
【図３０】
2008073431.tif 000032
【図３１】
2008073431.tif 000033
【図３２】
2008073431.tif 000034
【図３３】
2008073431.tif 000035
【図３４】
2008073431.tif 000036
【図３５】
2008073431.tif 000037